Podtech/llm-jp-corpus-v4-ja_patent huggingface dataset:
(57)【要約】【課題】本発明の課題は、従来のビデオ撮影、一般のカメラ又はデジタルカメラには、撮影した場所が特定表示せしめ且つ、撮影機より被写体への方向を表示出来る装置を備えたものが無く、撮影後に撮影場所及び対象物の位置を記していた。この欠点を解消し自動的に撮影場所及び対象物の位置表示が特定表示せしめるよう且つ、プリント時に自動印字表示を可能にする機能を搭載する事で撮影位置表示が可能となる撮影場所特定表示可能機能付き撮影機を提供する事を課題とする。【解決手段】複数の衛星又は地上での電波発信基地からの電波を受信可能な一つのアンテナと測位可能な機能を撮影機に内蔵搭載、撮影場所の測定が可能となるようにした撮影機で、撮影した場所を任意に又は自動的に表示せしめる機能を備えることで、撮影の記録を従来の撮影記録よりはるかに正確かつ詳細な記録がなされる事で解決される。【選択図】  図  １
2006254395.tif 000002
【特許請求の範囲】
【請求項１】
ＧＰＳ（グローバル  ポジショニング  システム）利用可能機能を備え、且つ一つのアンテナを搭載し、複数の衛星又は地上での電波発信基準基地からの電波を受信、それぞれよりの電波の到達時間を測り距離に変換し撮影地点までの距離を同時に知る事で撮影地点の位置を決定する測位機能を備えた撮影場所特定表示可能機能付き撮影機。
【請求項２】
ビデオカメラ及び通常のカメラ又はデジタルカメラ等の撮影機器にＧＰＳ利用可能機能を備え、同時に複数の衛星又は地上での電波発信基準基地からの電波を受信可能なアンテナを備えている撮影場所特定表示可能機能付き撮影機。
【請求項３】
単独測位及びＤＧＰＳ（ディファレンシャルＧＰＳ）測位又はＲＴＫ（リアルタイムキネマティック）−ＧＰＳ測位が可能な機能を備え、撮影場所を特定表示可能で被写画像に撮影場所特定表示が出来る機能を備えている事を特徴とする撮影場所特定表示可能機能付き撮影機。
【請求項４】
移動しながら撮影し、かつ移動していく撮影対象物の位置を特定せしめることが可能な、請求項１請求項２請求項３の測位機能を備えていて撮影対象画像にその位置を特定表示せしめる機能を搭載した撮影場所特定表示可能機能付き撮影機。
【請求項５】
上記請求項に付属して、撮影機が被写体に対する方向（東西南北）が表示される機能を備えた撮影場所特定表示可能機能付き撮影機。
【請求項６】
自動車、船舶、飛行機及び携帯電話などで使用されているナビゲーションシステムを搭載し、撮影場所が特定表示できる機能を備えた撮影場所特定表示可能機能付き撮影機。
【発明の詳細な説明】
【技術分野】
【０００１】  本発明は、ビデオ撮影、一般のカメラ又はデジタルカメラにより撮影した場所が特定表示せしめ且つ、撮影機より被写体への方向を表示出来ることを可能とする単独測位機能、ＤＧＰＳ測位機能及びＲＴＫ−ＧＰＳ測位機能を備えかつ撮影画像に撮影場所を特定表示せしめることが可能にした撮影機器でプリントした時にも位置の特定表示がなされる事を特徴とする撮影場所特定表示可能機能付き撮影機。
【背景技術】
【０００２】  通常の撮影機器は、対象物を撮影する事のみが目的であり撮影場所の表示を可能とした物はなく、撮影場所を書き込みのような記録をすることしかしていない。【０００３】  撮影場所の記録は、例えば住所表示、目標物との比較関係表示などで緯度及び経度の表示はなされていない。【０００４】  撮影は、撮影対象物を記録として残す事を目的としていて撮影日時を表示可能な機能を備えているにすぎなかった。【０００５】  従来の撮影においてＧＰＳ機能を搭載し単独測位、ＤＧＰＳ測位、ＲＴＫ−ＧＰＳ測位が可能な機能を備えている撮影機器はなく、撮影後に又は撮影前に住所、目標物との比較関係などで撮影場所を表していた。
【発明が解決しようとする課題】
【０００６】  特に記録を目的とする撮影には、撮影日時、場所などを特定しておく事がより記録の信憑性を高めることになり、任意に又は自動的に記録表示が可能とすることを目的とする。
【課題を解決するための手段】
【０００７】  本発明は、複数の衛星又は地上での電波発信基地からの電波を受信可能な一つのアンテナと測位可能な機能を搭載、撮影場所の測定が可能となるようにした撮影機で、撮影した場所を任意に又は自動的に表示せしめる機能を備えることで、撮影の記録を従来の撮影記録よりはるかに正確かつ詳細な記録がなされる事で解決される。
【０００８】  この場合、移動しながらの動画撮影又は通常の撮影であっても、移動中の撮影場所が特定表示せしめる機能を備えている。
【０００９】  本発明は、撮影の目的である記録を従来の撮影機器にはない撮影場所を特定表示せしめる機能を備えることにより、記録性をより高める事が出来るようになった。
【００１０】  本発明は、複数の衛星又は地上での電波発信基地からの電波を受信可能で、これによる請求項１〜６の測位機能を可能としたシステムを内蔵した撮影機で撮影する事で、記録性を高めるようになる。
【００１１】  本発明の撮影場所位置特定のの誤差は１０メートルから、１０ｋｍ範囲で１ｃｍであるが、受信する電波を発する衛星又は地上での受信可能な電波発信基地の数を多くする事で、位置特定の誤差をより少なくし、正確な撮影場所の位置表示が可能となる。
【発明の効果】
【００１２】  本発明の撮影場所特定表示可能機能付き撮影機は、撮影場所の位置の特定表示が任意又は自動的になされる事で、撮影の目的である記録の信憑性をより高める事が可能となる。
【発明を実施の形態】
【００１３】  以下、本発明にかかる撮影場所特定表示可能機能付き撮影機の好適な実施の形態を添付する図を参照しながら詳述する。
【図面の簡単な説明】
【００１４】
【図１】複数のＧＰＳ衛星又はＧＰＳ地上アンテナよりの信号を符号５の受信アンテナにて受信し撮影機に内蔵の測位機能付装置及び位置表示変換機能付装置により撮影機のモニターに測位位置が表示される仕組み。
【図２】撮影機本体での仕組みと表示方法の仕組み。
【符号の説明】
１    ＧＰＳ衛星
２    ＧＰＳ位置信号
３    ＧＰＳ地上信号アンテナ
４    ＧＰＳ地上信号
５    撮影機取り付けＧＰＳ受信アンテナ
６    撮影機
７    撮影機位置表示画面
【図１】
2006254395.tif 000003
【図２】
2006254395.tif 000004
(57)【要約】【課題】老人難聴者は、補聴器の雑音をいやがって、普段補聴器を使用していない場合が多く、そのため電話やインタ−ホンの着信に気づかず、外部の親族が大変心配することが多い。【解決手段】外部からの着信音を携帯電話ならばバイブレ−ション方式で、また固定電話およびインタ−ホンには、赤色の点滅ポ−ルを設置し、着信を知らせる。受信者は、音声文字変換システム用のスイッチに切り替えて、デスプレ−の文字を読みながら発信者と会話する。【選択図】なし【特許請求の範囲】
【請求項１】
固定電話およびインタ−ホンには、デスプレ−を設置し、相手からの音声を文字に変換し、デスプレ−に表示する。受信者は、そのデスプレ−の文字を読みながら、相手と会話できる老人難聴者用音声文字変換システム。
【請求項２】
着信時に気づきやすいように現在使用されている固定電話の赤色点滅ポ−ルをインタ−ホンの受信機部分にも設置する。
【発明の詳細な説明】
【技術分野】
【０００１】  本発明は、老人難聴者用音声文字変換システムによる電話及びインタ−ホンに関する。
【背景技術】
【０００２】  老人難聴者の多くは、補聴器の雑音をいやがりあまり利用していないので、外部の親類が大変心配するため、外部からの連絡がつきやすいように技術的解決方法を考えた。
【発明が解決しようとする課題】
【０００３】  老人難聴者に着信を知らせ、かつ、発信者と会話ができるようにすること。
【課題を解決するための手段】
【０００４】  携帯電話の場合は、着信の時バイブレ−ション方式で知らせる。
【０００５】  固定電話及びインタ−ホンについては赤色点滅ポ−ルで、着信を知らせる。
【０００６】  受信者は、着信があったら、音声文字変換システムのスイッチに切り替え、デスプレ−の文字を読みながら、相手と会話する。
【発明の効果】
【０００７】  老人難聴者と別居している親族が、このシステムが完成すれば安心して健康状態を知ることができる。
【発明を実施するための最良の形態】
【０００８】  常に着信に気づきやすいように、赤色点滅ポ−ルをできれば各部屋ごとに設置すればより効果が増大する。
(57)【要約】【課題】従来のＢＳデジタル内蔵テレビでは、ＢＳデジタル放送を視聴中に降雨／降雪や暴風等でＢＳアンテナの受信状態が悪化すると、テレビ画面は頻繁にブラックアウトし、「受信できません。アンテナの設定や調整を確認してください。」のようなメッセージが表示され、ユーザに不快感を与えてしまっていた。【解決手段】上記課題を解決するために本発明は、ＥＰＧデータから視聴中と同じ番組が地上波で放送されていないかを検索し、放送されている場合は同じ番組が放送されている地上波チャンネルに切り換える機能を提供する。【選択図】図１
2006254024.tif 000002
【特許請求の範囲】
【請求項１】
ＢＳアンテナの受信状態の悪化を検知し、ＥＰＧデータにより同番組を放送している地上波チャンネルを検索してそのチャンネルに切り換える機能を搭載したＢＳデジタル内蔵テレビ。
【発明の詳細な説明】
【技術分野】
【０００１】
本発明は、ＥＰＧ機能付きＢＳデジタル内蔵テレビに関するものである。
【背景技術】
【０００２】
従来のＢＳデジタル内蔵テレビでは、ＢＳデジタル放送を視聴中に降雨／降雪や暴風等でＢＳアンテナの受信状態が悪化すると、テレビ画面はブラックアウトし、「受信できません。アンテナの設定や調整を確認してください。」のようなメッセージが表示されていた（例えば、特許文献１参照）。
【特許文献１】特開２００２−０１６８５１号公報
【発明の開示】
【発明が解決しようとする課題】
【０００３】
しかしながら上記の方式では、ＢＳアンテナの受信状態が悪化した状態が続けば、テレビ画面は頻繁にブラックアウトした状態に陥り、その都度「受信できません。アンテナの設定や調整を確認してください。」のようなメッセージが表示されるため、ユーザには多大な不快感を与えてしまうことになってしまっていた。
【０００４】
本発明は上記の課題を緩和するものでことを目的とする。
【課題を解決するための手段】
【０００５】
上記の目的を達成するために本発明は、ＥＰＧデータから視聴中と同じ番組が地上波で放送されていないかを検索し、放送されている場合は「視聴中の同番組が地上波でも放送されています。地上波に切り換えますか？はい／いいえ」のようなメッセージを表示し、ユーザが「はい」を選択すれば、同じ番組が放送されている地上波チャンネルに切り換える機能を提供する。
【０００６】
これにより、頻繁にブラックアウトすることによるユーザへの不快感を緩和し、簡単な操作での視聴再開が可能となる。
【発明の効果】
【０００７】
以上のように本発明によれば、ＢＳアンテナの受信状態の悪化を検知し、ＥＰＧデータにより同番組を放送している地上波チャンネルを検索してそのチャンネルに切り換える選局装置を提供することで、ユーザへの不快感を緩和し、簡単な操作で視聴再開できるという有用な効果が得られる。
【発明を実施するための最良の形態】
【０００８】
本発明は、ＢＳアンテナの受信状態の悪化を検知し、ＥＰＧデータにより同番組を放送している地上波チャンネルを検索してそのチャンネルに切り換える機能を搭載したＢＳデジタル内蔵テレビである。以下、本発明における実施の形態について図面を用いて説明する。
【０００９】
（実施の形態１）
図１は、ＢＳデジタル内蔵テレビの選局装置を示す。図１において、符号１０１はＢＳアンテナ、１０２はＢＳチューナ、１０３はエラー訂正装置、１０４はスクランブル制御装置、１０５は多重データ分離装置、１０６はＭＰＥＧ再生装置、１０７は出力処理装置、１０８はテレビ画面である。また、１０９は制御マイコン、１１０はリモコン、１１１は地上波アンテナ、１１２は地上波チューナ、１１３はＥＰＧデータ蓄積部である。
【００１０】
以上のように構成された選局装置において、以下その動作について説明する。図１において、ＢＳデジタル放送視聴時は、アンテナ１０１から入力された信号がチューナ１０２に入る。チューナ１０２では、制御マイコン１０９からの指示に従ったチャンネルの周波数を選局する。チューナ１０２からの信号は、エラー訂正装置１０３、スクランブル制御装置１０４を通った後、多重データ分離装置１０５に入る。多重データ分離装置１０５では、制御マイコン１０９からの指示に従い、ユーザ所望のチャンネルの映像信号が抽出され、ＭＰＥＧ再生装置１０６を通って、出力処理装置１０７に入る。出力処理装置１０７では、制御マイコン１０９の指示に従ってテレビ画面１０８へと出力される。
【００１１】
また、図１において、ＢＳデジタル放送視聴時のＢＳアンテナ受信悪化は制御マイコン１０９が検知を行う。また、図１において、多重データ分離回路１０５とチューナ１１２から取得したＥＰＧデータは、制御マイコン１０９がＥＰＧデータ蓄積部１１３へ適宜蓄積しており、現在視聴中のＢＳデジタル番組と同じ番組が地上波で放送されているかどうかは制御マイコン１０９がＥＰＧデータ蓄積部１１３から検索することができる。
【００１２】
次に、図１において、ＢＳデジタル放送視聴時に地上波放送へチャンネル切り換えする時は、リモコン１１０から入力されたユーザのチャンネル切り換えの指示に従い、アンテナ１１１から入力された信号がチューナ１１２に入り、チューナ１１２では制御マイコン１０９からの指示に従ったチャンネルの周波数を選局し、出力処理装置１０７に入った後、地上波放送がテレビ画面１０８へと出力切り換えが行われる。
【００１３】
また、「受信できません。アンテナの設定や調整を確認してください。」や「視聴中の同番組が地上波でも放送されています。地上波に切り換えますか？はい／いいえ」のようなメッセージ表示は、制御マイコン１０９が出力処理装置１０７からテレビ画面１０８へと表示する。
【００１４】
以上のようにすることで、ＢＳアンテナの受信状態の悪化を検知し、ＥＰＧデータにより同番組を放送している地上波チャンネルを検索してそのチャンネルに切り換えることができる。
【産業上の利用可能性】
【００１５】
本発明は、ＢＳアンテナの受信状態の悪化を検知し、ＥＰＧデータにより同番組を放送している地上波チャンネルを検索してそのチャンネルに切り換えることができるため、サイマル放送を受信可能な全てのＡＶ機器に有用である。
【図面の簡単な説明】
【００１６】
【図１】本発明の実施の形態１におけるＢＳデジタル内蔵テレビの選局装置の構成を示す図
【符号の説明】
【００１７】
１０１    アンテナ
１０２    チューナ
１０３    エラー訂正装置
１０４    スクランブル制御装置
１０５    多重データ分離装置
１０６    ＭＰＥＧ再生装置
１０７    出力処理装置
１０８    テレビ画面
１０９    制御マイコン
１１０    リモコン
１１１    アンテナ
１１２    チューナ
１１３    ＥＰＧデータ蓄積部
【図１】
2006254024.tif 000003
(57)【要約】【課題】複数の静止画ファイルが収納されており、それぞれが連続して再生されることで動画像が再生される動画ファイルからインデックスサムネイル画面を作成し、インデックスサムネイル画面から１回のキー操作で１つの画面を選択し、選択した画面から動画再生を開始することを可能とする。【解決手段】動画ファイルから生成したインデックスサムネイル画面とリモコンの１〜９の数字ボタンを対応させ、数字ボタンが押されると対応したインデックスサムネイル内の画面を選択し、選択された画面から動画再生を開始する。【選択図】図１
2006254026.tif 000002
【特許請求の範囲】
【請求項１】
複数の静止画ファイルが収納されており、それぞれが連続して再生されることで１つの動画像が再生される動画ファイルを格納する外部記憶媒体からメモリカードＩ／Ｆ部を介して動画ファイルを読み取り、画像制御部を介してモニタにインデックスサムネイル画面を出力する手段を備えた画像再生装置において、リモコンから入力される１〜９の数字ボタンを入力処理部で解読し、インデックスサムネイル画面内の１画面から再生を開始することで１回のキー操作で動画ファイル内の途中から再生が可能なことを特徴とする。
【請求項２】
請求項１に記載の画像再生装置において、外部記憶媒体から複数の動画ファイルを結合編集して作成された１つの動画ファイルを読み取り、結合されている各動画ファイルの先頭画面でインデックスサムネイル画面を出力する手段を備え、インデックスサムネイル画面内の１ファイルを１回のキー操作で再生を開始することを特徴とする。
【発明の詳細な説明】
【技術分野】
【０００１】
本発明は、動画ファイルの途中から簡単に再生できる画像再生装置に関するものである。
【背景技術】
【０００２】
従来、メモリカード等の記憶媒体に保存したデジタルカメラ等で撮影した動画ファイルからインデックスサムネイル画面を作成し、インデックスサムネイル画面の中でカーソルキー操作を行い、１つの静止画像を選択し、セットキーが押されるとインデックスサムネイル画面の静止画像に続く動画像が再生される画像再生装置が知られている（例えば、特許文献１参照）。
【０００３】
しかし、１回のキー操作でインデックスサムネイル画面の中の所望の静止画像から動画ファイルを再生する方法は未だ実現化されていない。
【特許文献１】特開２０００−１７５１５８号公報
【発明の開示】
【発明が解決しようとする課題】
【０００４】
解決しようとする問題点は、録画時間の長い動画ファイルを再生する際、再生を開始する画面を確認した上で、１回のキー操作で容易にファイルの途中から再生できない点である。
【課題を解決するための手段】
【０００５】
本発明は、１つの動画ファイルから作成された３行×３列のインデックスサムネイル画面と３行×３列に配置されたリモコンの１〜９の数字ボタンを対応づけることで、数字ボタンによるキー操作でインデックスサムネイル画面から１つの画面を選択し、選択した画面から動画ファイルの再生を開始することを最も主要な特徴とする。
【発明の効果】
【０００６】
本発明の画像再生装置はインデックスサムネイル画面から１回のキー操作で容易に動画ファイルの再生を開始することができ、インデックスサムネイル画面を表示させることで、再生を開始する画面が確認でき、ファイル内のどのシーンから再生することができるのか分かり易い。
【０００７】
また、インデックスサムネイル画面の配置をリモコンの数字ボタンの配置が一致している為、操作方法が容易に理解できるという利点がある。
【発明を実施するための最良の形態】
【０００８】
以下、添付の図面に基づいて、本願発明に係わる実施の形態を説明する。
【０００９】
（実施の形態１）
図１は、本発明に係わる画像再生装置のブロック図である。図１において、１０１は例えばＳＤカードで、メモリカードＩ／Ｆ部１０３を備えている。メモリカードが挿入され、メモリカードＩ／Ｆ部を介して複数の静止画ファイルが連続して再生されることで１つの動画像が再生される動画ファイルが読み込まれる。マイクロコントローラ１０４は読み込まれた動画ファイルから３行×３列に配置したインデックスサムネイル画面を画像制御部１０６を介してモニタ１０７に表示させ、１〜９の数字ボタンを３行×３列に配置したリモコン装置１０２からの入力を処理する入力処理部１０５を備え、インデックスサムネイル画面と数字ボタンの配置を対応づけることで、数字ボタンで指定されたキーが入力されるとインデックスサムネイル画面を解除し、数字ボタンに対応したインデックスサムネイル画面の画像の位置から動画ファイルの再生を開始する。
【００１０】
次に動画ファイルに対して、インデックスサムネイル画面の生成方法と数字ボタンによるキー入力による動画再生方法について、図２に示すフローチャートを参照して説明する。
【００１１】
メモリカードが挿入されると、動画ファイルを構成する静止画のフレーム数を算出し、さらにフレーム数を９等分割する。９等分割した動画ファイルの各先頭フレームを抜き出して、左上から順に３行×３列に配置したインデックスサムネイル画面を表示させる。１〜９の数字ボタンを３行×３列に配置したリモコン装置からキー操作があると、入力された数字から動画ファイルの再生する位置を算出し、算出した位置から動画ファイルの再生を開始する。
【産業上の利用可能性】
【００１２】
本発明の画像再生装置は、インデックスサムネイル画面を見ながら動画ファイルの内容を確認しながら、１回のキー操作でインデックスサムネイル画面の中から選択した画面から再生を開始する等の用途として有用である。
【図面の簡単な説明】
【００１３】
【図１】本発明の一実施形態に係わる画像再生装置のブロック図
【図２】インデックスサムネイル画面作成手順と数字ボタンの入力時の動作手順を示すフローチャート
【図３】メモリカードに記憶された動画ファイルが読み出されてテレビ受像機にインデックスサムネイル画面が表示されるまでを示す図
【図４】リモコンに設けられた１〜９の数字ボタンと対応付けられたインデックスサムネイル画面の配置を示す図
【符号の説明】
【００１４】
１０１    メモリカード
１０２    リモコン装置
１０３    メモリカードＩ／Ｆ部
１０４    マイクロコントローラ
１０５    入力処理部
１０６    画像制御部
１０７    モニタ
３０１    静止画フレーム数を９等分割した動画ファイル
３０２    インデックスサムネイル画面
３０３    動画ファイルの静止画フレーム数を９等分割した各先頭フレーム
４０１    リモコン
４０２    １〜９の数字ボタン
【図１】
2006254026.tif 000003
【図２】
2006254026.tif 000004
【図３】
2006254026.tif 000005
【図４】
2006254026.tif 000006
(57)【要約】【課題】ＨＤＭＩ信号処理回路及びＨＤＭＩの鍵情報を記憶する記憶媒体から外部へ秘密情報が不正流出することを防ぐことが必要である。【解決手段】テレビ受信機は、デジタルコピー防止処置が施されたデジタル信号を受信することができるテレビ受信機において、認証処理及び復号化を行うＨＤＭＩ処理回路と鍵情報を記憶する記憶媒体とを保護する装置と、前記回路及び前記記憶媒体に対する不正なアクセスを検知する回路と、映像出力部へＨＤＭＩ信号の出力を停止する回路と、ＨＤＭＩ信号の表示停止を伝達表示する表示回路とを備える。【選択図】図１
2006254029.tif 000002
【特許請求の範囲】
【請求項１】
デジタルコピー防止処置が施されたデジタル信号を受信することができるテレビ受信機において、認証処理及び復号化を行うＨＤＭＩ処理回路と鍵情報を記憶する記憶媒体とを保護する装置と、前記回路及び前記記憶媒体に対する不正なアクセスを検知する回路と、映像出力部へＨＤＭＩ信号の出力を停止する回路と、ＨＤＭＩ信号の表示停止を伝達表示する表示回路とを備えたことを特徴とするテレビ受信機。
【請求項２】
デジタルコピー防止処置が施されたデジタル信号を受信することができるテレビ受信機において、認証処理及び復号化を行うＨＤＭＩ処理回路と鍵情報を記憶する記憶媒体とを保護する手段と、前記回路及び前記記憶媒体に対する不正なアクセスを検知する手段と、映像出力部へＨＤＭＩ信号の出力を停止する手段と、ＨＤＭＩ信号の表示停止を伝達表示する表示手段とを備えたことを特徴とするテレビ受信機。
【発明の詳細な説明】
【技術分野】
【０００１】
本発明は、ＨＤＭＩを搭載したテレビ受信機に関するものである。
【背景技術】
【０００２】
高品質のデジタルコンテンツの不正コピーを防止するため、ＨＤＣＰ（Ｈｉｇｈ−ｂａｎｄｗｉｄｔｈ  Ｄｉｇｉｔａｌ  Ｃｏｎｔｅｎｔ  Ｐｒｏｔｅｃｔｉｏｎ  Ｓｙｓｔｅｍ）により、デジタル信号を送受信する機器間では認証処理が行われ、デジタル信号自体は暗号化されている。これによりデジタルコンテンツの著作権を保護している。
【０００３】
さらに、デジタルコンテンツの不正コピーを防ぐため、コンテンツ自体の保護だけでなく、送受信機器に含まれるデジタル信号処理回路や、鍵情報を記憶する記憶媒体も保護することが義務付けられている。
【０００４】
このようにＨＤＣＰで保護されたデジタルコンテンツを、高品質のままディスプレイへ表示することを可能にしたインターフェースがＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）である。
【０００５】
ＨＤＭＩを搭載したテレビ受信機では、認証処理に成功した場合は、デジタルコンテンツを受信・表示することができるが、認証処理に失敗した場合は、デジタルコンテンツを受信・表示できなかった旨をユーザーへ告知することが可能である（例えば、特許文献１参照）。
【特許文献１】特開２００４−９５１５９号公報
【発明の開示】
【発明が解決しようとする課題】
【０００６】
しかし、従来のＨＤＭＩ搭載受信機では、前述した保護すべきデジタル信号処理回路や、鍵情報を記憶する記憶媒体に対して対策がなされていない問題があった。
【０００７】
本発明は、従来のＨＤＭＩ搭載受信機では保護できていなかったデジタル信号処理回路及び、鍵情報を記憶する記憶媒体を保護し、外部へ秘密情報が不正流出することを防ぐことを目的とする。
【課題を解決するための手段】
【０００８】
上述した課題を解決するために、本発明に係るテレビ受信機は、認証処理及び復号化を行うＨＤＭＩ処理回路と鍵情報を記憶する記憶媒体とを保護する装置と、前記回路及び前記記憶媒体に対する異常接続を検知する手段と、映像表示部へＨＤＭＩ信号の表示を停止する手段と、ＨＤＭＩ信号の表示停止を伝達表示する表示手段とを備えたものである。
【発明の効果】
【０００９】
本発明に係るテレビ受信機によれば、ＨＤＭＩ処理回路と鍵情報を記憶する記憶媒体とを保護する装置を備え、異常接続を検出した際にはＨＤＭＩ信号の停止する手段を備えた構成としたから、ＨＤＭＩ処理回路及び鍵情報を記憶する記憶媒体からの秘密情報の不正流出を防ぐことができる効果がある。
【００１０】
また、ＨＤＭＩ信号の表示停止を伝達表示する手段を備えた構成としたから、ＨＤＭＩ信号がディスプレイに表示されなくなった場合にも、ユーザーは原因をつきとめ対処することができる効果がある。
【発明を実施するための最良の形態】
【００１１】
（実施の形態１）
図１は、本発明の実施の形態１によるテレビ受信機の構成を示すブロック図である。テレビ受信機１００は、受信部１０１と、ＨＤＭＩ制御部１０２と、ＨＤＭＩ処理部１０３と、記憶部１０４と、保護装置１０５と、ＯＳＤ生成部１０６と、映像表示部１０７とから構成され、受信部１０１を介してデジタル信号を受信し、ＨＤＭＩ制御部１０２の判断によって受信した信号の復号化を行い、映像表示部１０７へ復号された信号の出力を行う。
【００１２】
本実施の形態１では、ＨＤＭＩ制御部１０２及び保護装置１０５が請求項に記載された検知する手段に相当し、同様に、ＨＤＭＩ制御部１０２及び映像表示部１０７が停止手段、ＨＤＭＩ制御部１０２、ＯＳＤ生成部１０６及び映像表示部１０７が表示手段に相当する。
【００１３】
図２は、本発明の実施の形態１に係るＨＤＭＩ信号の出力方法を示したフローチャートである。
【００１４】
保護装置１０５は、ＨＤＭＩ処理部１０３及び記憶部１０４との接続状況に応じた接続信号を発信する（Ｓ２１０）。そして、ＨＤＭＩ制御部１０２は、接続信号を受信して異常接続の有無を判断する（Ｓ２２０）。接続信号は保護装置１０５とＨＤＭＩ処理部１０３及び記憶部１０４とを異常接続の有無を判断するための信号である。
【００１５】
ステップＳ２２０において、ＨＤＭＩ処理部１０３または記憶部１０４に異常接続がないと判断されれば、ＨＤＭＩ制御部１０２は、記憶部１０４より鍵情報を読み出し、ＨＤＭＩ処理部１０３へ鍵情報を転送する（Ｓ２３０）。そして、ＨＤＭＩ制御部１０２は、鍵情報を用いて受信された信号を復号するようＨＤＭＩ処理部１０３を制御する（Ｓ２４０）。映像表示部１０７は復号された信号をディスプレイへ出力する。（Ｓ２５０）
一方、ステップＳ２２０において、ＨＤＭＩ処理部１０３または記憶部１０４に異常接続があったと判断されれば、ＨＤＭＩ制御部１０２は、ＯＳＤ処理部１０６を制御し、表示停止メッセージを生成した後、生成されたメッセージを映像表示部１０７はディスプレイへ出力する（Ｓ２６０）。
【産業上の利用可能性】
【００１６】
本発明のＨＤＭＩ信号処理回路及びＨＤＭＩ鍵情報の記憶媒体を保護する方法は、秘密情報の不正流出を防ぐことができる効果を有しており、そのためにＨＤＭＩを搭載したテレビ受信機等の用途にも適用できる。
【図面の簡単な説明】
【００１７】
【図１】本発明の実施の形態１におけるテレビ受信機の構成を示すブロック図
【図２】本発明の実施の形態１におけるＨＤＭＩ信号の出力方法のフローチャート
【符号の説明】
【００１８】
１０１    接続部
１０２    ＨＤＭＩ制御部
１０３    ＨＤＭＩ処理部
１０４    記憶部
１０５    保護装置
１０６    ＯＳＤ生成部
１０７    映像出力部
【図１】
2006254029.tif 000003
【図２】
2006254029.tif 000004
(57)【要約】【課題】デジタルカメラなどの画像を再生できるテレビジョンにおいて、静止画を閲覧中に、テレビの音声を聴取できるシステムを提供する。【解決手段】画像を映像信号として出力するフォトビューワー１０３と、チューナー１０５、映像・音声信号回路１０７〜１１０、それらを制御するマイクロコントローラ１０２、音声・映像を出力するスピーカー１１１、ディスプレイ１１２から構成される。ユーザー入力手段１０１からの要求で、マイクロコントローラ１０２は、チューナー１０５または外部音声入力１１３から要求された音声ソースを選択するように音声信号選択回路を制御することによって、ユーザーは静止画再生中に任意の音声ソースを聴取することが出来る。【選択図】図１
2006254035.tif 000002
【特許請求の範囲】
【請求項１】
フォトビューワーを搭載し、画像データを表示出来るテレビジョンにおいて、静止画再生中に、テレビジョンから出力される音声を任意の入力ソースに切り替えることが出来る回路を有するテレビジョン装置。
【請求項２】
請求項１に記載のテレビジョン装置において、ユーザーが静止画再生中にテレビジョンに入力されている任意の音声ソースを選択出来る聴取方法。
【請求項３】
請求項２に記載の聴取方法において、ユーザーが選択した音声入力ソースを記憶させる不揮発性メモリを有するテレビジョン装置。
【請求項４】
請求項２に記載の聴取方法において、静止画再生中に現在選択されている音声ソースが確認できるオンスクリーン表示方法。
【発明の詳細な説明】
【技術分野】
【０００１】
本発明は、画像データを静止画として再生する機能を有するテレビジョンシステムに関するものである。
【背景技術】
【０００２】
従来、表示装置で画像等を再生する場合、シャッター音により臨場感を感じさせることが可能な装置がある（例えば、特許文献１参照）。
【特許文献１】特開平７−１９１４０６号公報
【発明の開示】
【発明が解決しようとする課題】
【０００３】
ところで、フォトビューワー機能を有するテレビジョンでは、デジタルカメラなどの画像を再生する場合、音声データが存在しないため、音声出力を止めていた。しかし、従来視聴を目的とするテレビジョンにおいて、無音声時間が続くと違和感を覚えてしまう。また、静止画再生中であっても、現在どのような番組が放送されているかを知りたいユーザーも存在すると考えられる。
【０００４】
本発明は、画像データを静止画としてテレビジョンで再生している間の無音声状態を改善することが可能なフォトビューワー搭載テレビジョンシステムを提供することを目的とする。
【課題を解決するための手段】
【０００５】
本発明のテレビジョンシステムは、フォトビューワーを搭載し、静止画再生中に、テレビに入力されている任意の音声を出力させる。
【発明の効果】
【０００６】
静止画再生中に、ユーザーがテレビジョンに入力されている任意の音声ソースを選択し、聴取することによって、ユーザーが快適に静止画を視ることが出来る。
【発明を実施するための最良の形態】
【０００７】
以下、本発明に関わるフォトビューワー搭載テレビジョンシステムの一実施形態を図面に基づいて説明する。
【０００８】
（実施の形態１）
図１に示すように、本実施の形態１のフォトビューワー搭載テレビジョンシステムは、ユーザー入力手段１０１と、各回路を制御するマイクロコンピューター１０２と、画像データを映像信号として出力するフォトビューワー１０３と、ユーザーが選択した音声入力を記憶するための不揮発性メモリ１０４、選択された音声ソースを表示するためのオンスクリーン処理回路１０５、テレビ放送の映像信号、音声信号を出力するチューナー１０６と、表示するべき映像信号を選択する映像信号選択回路１０７と、映像信号およびオンスクリーンを合成する映像信号処理回路１０８と、実際に出画させるディスプレイ１１２、出力するべき音声信号を選択する音声信号選択回路１０９と、音声信号処理回路１１０、スピーカー１１１から構成される。
【０００９】
ユーザー入力手段１０１によって、静止画表示モードに遷移すると、マイクロコントローラ１０２は、フォトビューワー１０３から出力される映像信号を選択するように映像信号選択回路１０７を制御し、映像信号処理回路１０８を通して、静止画がディスプレイ１１２に表示される。また、ユーザーはユーザー入力手段１０１を通して、チューナー１０５または、外部音声入力１１３からの音声ソースを選択し、どの音声ソースが選択されたかは不揮発性メモリ１０４に記憶される。選択された音声ソースはマイクロコントローラ１０２によって、音声信号選択回路１０９から音声信号処理回路１１０に入力され、スピーカー１１１に出力される。ユーザーが選択した音声ソースは、マイクロコントローラ１０２によって、オンスクリーン制御回路１０５を通して、静止画とともにディスプレイ１１２に表示される。
【００１０】
次に、静止画再生中に音声ソースを選択する動作を以下に説明する。
【００１１】
図２に示すように、ステップ２０１で静止画再生モードに遷移した時、ユーザーが既に任意の音声ソースを選択済みでなければ（ステップ２０２）、チューナーの音声はスピーカーに出力され（ステップ２０３）、チューナーの音声を出力中であることを示すオンスクリーンが表示される（ステップ２０４）。また、ユーザーが既に音声ソースを選択済みの時、または選択する音声ソースを変更した時（ステップ２０５）、選択された音声ソースはスピーカーに出力され（ステップ２０６）、で選択された音声ソースは不揮発性メモリに保存され、オンスクリーンに表示される（ステップ２０７）。
【産業上の利用可能性】
【００１２】
本発明のフォトビューワー搭載テレビジョンシステムは、従来のシステムからハード構成を変更することなく、静止画再生中に任意の音声ソース出力という機能を簡単に実現することができる。
【図面の簡単な説明】
【００１３】
【図１】本発明によるフォトビューワー搭載テレビジョンシステムの一実施形態の構成を示すブロック図
【図２】図１に示すフォトビューワー搭載テレビジョンシステムにおける音声ソース選択方法を説明するためのフローチャート
【符号の説明】
【００１４】
１０１    ユーザー入力手段
１０２    マイクロコントローラ
１０３    フォトビューワー
１０４    不揮発性メモリ
１０５    オンスクリーン制御回路
１０６    チューナー
１０７    映像信号選択回路
１０８    映像信号制御回路
１０９    音声信号選択回路
１１０    音声信号制御回路
１１１    スピーカー
１１２    ディスプレイ
１１３    外部音声入力
【図１】
2006254035.tif 000003
【図２】
2006254035.tif 000004
(57)【要約】【課題】ＳＤカードをカードスロットに挿入すると、ＳＤカードの挿入、未挿入が一見してわからない。挿入・未挿入を判別しにくく、動画、静止画を再生しようとしても、ＳＤカードが挿入されていない場合や、挿入したまま忘れてしまうことがあった。【解決手段】テレビ受像機の自己診断機能を実行する時、カードスロットにＳＤカードが挿入されているか、未挿入かを確認する。カードスロットにＳＤカードが挿入されていたら、ＳＤカードが挿入されている旨を表示にて通知する。【選択図】図１
2006254036.tif 000002
【特許請求の範囲】
【請求項１】
ＳＤカード再生機能付きテレビ受像機において、所定のボタンが押されたことを認識する入力手段と、ＳＤカードを挿入するカードスロットと、カードスロットにＳＤカードが挿入されたことを検出するＳＤカード制御手段と、検出結果により表示内容を制御する制御手段と、表示制御手段と表示手段を具備し、操作ボタンでＳＤカード制御手段にて、カードスロットの内のＳＤカードの有無を判別し、制御手段により表示制御手段を用いて表示手段にＳＤカードの挿入・未挿入を表示させるＳＤカード挿入・未挿入判別装置。
【発明の詳細な説明】
【技術分野】
【０００１】
本発明は、ＳＤカード挿入の確認が容易なテレビ受像機に関するものである。
【背景技術】
【０００２】
最近のテレビ受像機では、ＳＤカードスロットを具備し、ＳＤカードスロットに挿入されたＳＤカードより動画、あるいは静止画のデータを読み出し、テレビ画面上で表示することができるようになっている（例えば、特許文献１参照）。
【０００３】
また、ＳＤカードスロット搭載のテレビ受像機では、ＳＤカードからのＳＤカードデータ読み出し画面にて、ＳＤカードが挿入されているかどうかの表示はあった。
【特許文献１】特開２００２−１３５６７６号公報
【発明の開示】
【発明が解決しようとする課題】
【０００４】
しかしながら、ＳＤカードデータ読み出し画面以外では、ＳＤカードスロットを直接見る以外に、ＳＤカードがＳＤカードスロットに挿入されているかどうかを確認する方法が無かった。
【０００５】
ＳＤカードが挿入されているかどうか確認するためには、ＳＤカードスロットを直接確認しなければならないが、ＳＤカード自体が小型であり、挿入するとカードスロット内に隠れてしまうため、挿入・未挿入を判別しにくく、動画、静止画を再生しようとしても、ＳＤカードが挿入されていない場合や、挿入したまま忘れてしまうことがあった。
【課題を解決するための手段】
【０００６】
リモコンキーが押されたときに、カードスロットにメモリカードが挿入されているか、未挿入かを確認する。カードスロットにＳＤカードが挿入されていた場合は画面上にＳＤカードが挿入されている旨を表示する。
【発明の効果】
【０００７】
本発明は、カードスロットを目視で確認することなく、ＳＤカードの挿入・未挿入を確認することができることが特徴である。
【発明を実施するための最良の形態】
【０００８】
キー入力があった際に、メモリカードの挿入・未挿入の検出結果を画面上に表示することで実現した。
【０００９】
（実施の形態１）
図１は、本発明装置の実施の形態によるＳＤカード挿入・未挿入判別装置の構成を説明する為の図である。以下、図１を用いて上記ＳＤカード挿入・未挿入判別装置の構成を説明する。
【００１０】
テレビ受像機において、１１はＳＤカード挿入・未挿入の確認の実行を指示する入力手段、１２は制御手段、１３はカードスロットに挿入されたＳＤカードを制御するＳＤカード制御手段、１４はＳＤカードを挿入するカードスロット、１５は検出の結果を表示部に表示する為の制御を行う映像制御部、１６は検出結果を通知する為の表示部である。
【００１１】
入力装置１１から挿入・未挿入の確認を実行する指示を受け取った制御部１２は、ＳＤカード制御手段１３にカードスロット１４にメモリカードが挿入されているか否か調査する指示を出す。ＳＤカード制御手段１３はメモリカードスロット１４を調査し、制御部１２にメモリカード挿入・未挿入の結果を送る。受け取った制御部１２は、その結果を表示するよう表示制御部１５へ指示する。指示を受けた表示制御部１５は結果を表示部１６に表示する。
【００１２】
図２は、ＳＤカード挿入・未挿入判別装置の動作手段を説明する為の図である。以下、図２を用いて上記ＳＤカード挿入・未挿入判別装置の動作手段を説明する。
【００１３】
所定のキーからの指示により、カードスロットにメモリカードが挿入されているか否かを確認する（ステップ１）。カードが挿入されていればＳＤが挿入されていることを表示（ステップ２）、未挿入であればＳＤカードが未挿入であることを示す（ステップ３）。
【産業上の利用可能性】
【００１４】
本発明のＳＤカード挿入・未挿入判別装置は、カードスロットを目視で確認することなく、ＳＤカードの挿入・未挿入を確認することができ、従来のＣＨ番号などを表示するキーと共用すればテレビ受信機の状況を一度に確認でき有用である。
【図面の簡単な説明】
【００１５】
【図１】ＳＤカード挿入・未挿入判別装置の構成を示す図
【図２】ＳＤカード挿入・未挿入判別装置の動作手順を示したフローチャート
【符号の説明】
【００１６】
１１    入力手段
１２    制御手段
１３    ＳＤカード制御手段
１４    カードスロット
１５    表示制御手段
１６    表示手段
【図１】
2006254036.tif 000003
【図２】
2006254036.tif 000004
(57)【要約】【課題】テレビジョン受像機において内部の映像信号処理デバイスが故障した場合、その故障デバイスの特定に時間がかかったり、故障デバイスを誤って修理、交換してしまうことがあった。そのため故障デバイスを早期に特定し、故障デバイスを正しく抽出するテレビジョン受像機が要求されている。【解決手段】この課題を解決するために本発明は映像信号出力回路により出力する映像信号と各デバイスに入力される映像信号の情報からエラー検出回路において映像信号が正常かどうかの判定を行ない、その結果をエラー結果表示回路によりデバイスのエラー表示を行なう。【選択図】図１
2006254031.tif 000002
【特許請求の範囲】
【請求項１】
内部デバイスの検査を行なうための映像信号出力回路と複数の前記出力回路からデバイスに出力する信号を選択して切り換える切換ＳＷと前記切換ＳＷから入力した映像信号を表示させるためのデバイス毎にエラー検出を行なうエラー検出回路と映像信号を表示させるための映像信号処理回路と前記エラー検出回路から得られたエラー結果を表示するエラー結果表示回路と前記映像信号及び前記エラー結果を表示する表示デバイスを備えたことを特徴とするテレビジョン受像機。
【発明の詳細な説明】
【技術分野】
【０００１】
本発明は映像信号処理を行なうデバイスの故障状態を検出するテレビジョン受像機に関する。
【背景技術】
【０００２】
従来、テレビジョン受像機の伝送エラーが検出された場所を特定することができる装置が公知であった（例えば、特許文献１参照）。
【特許文献１】特開平７−２９８７５６号公報
【発明の開示】
【発明が解決しようとする課題】
【０００３】
しかしながら、上記従来の装置では、テレビジョン受像機に異常が発生した場合、バス通信エラーを検出して故障デバイスを特定していた。しかしバス通信エラーでの検出は使用デバイスが完全に故障した場合は異常検出を行なうことが出来るが、バス通信は問題無く行なえるが映像信号の出力に問題がある場合はデバイスの故障を検知することが出来ない。そのためバス通信が正常でも映像信号を正しく出力出来ない状態を検出するテレビジョン受像機が求められている。
【課題を解決するための手段】
【０００４】
上記課題を解決するために本発明は映像信号出力回路により出力する映像信号と各デバイスに入力される映像信号の情報からエラー検出回路において映像信号が正常かどうかの判定を行ない、異常と判断された場合はエラー結果表示回路においてデバイスのエラー表示を行なう。
【発明の効果】
【０００５】
以上のように本発明によれば、デバイスの信号処理回路に問題が発生した場合にエラー表示を行なうことによって故障箇所の特定を素早く行なうことができるという有利な効果が得られる。
【発明を実施するための最良の形態】
【０００６】
（実施の形態１）
以下に本発明の請求項１に記載された発明の動作を図１を用いて説明する。図１において１及び２はテレビジョン受像機の内部デバイスの検査を行なう為に検査用の映像信号を出力する回路であり、複数備えることで複数回のエラーチェックが行なえる。３は前記映像信号出力回路から出力される複数の映像信号からデバイス検出を行なう映像信号を選択して切り換えを行なう。４及び６は各デバイスに入力した映像信号が正しい信号の状態で来ているかを判定するエラー検出回路であり、エラー判定となった場合には映像信号出力を行なった信号処理回路に問題が有ることになる。５及び７は各デバイスの映像信号処理回路である。８は前記エラー検出回路の結果を画面上に表示する為のエラー結果表示回路であり、９は映像信号及びエラー結果を表示する画面となる。
【産業上の利用可能性】
【０００７】
本発明のテレビジョン受像機は、映像信号処理デバイスに映像信号の出力が異常となる故障が発生した場合に故障箇所を素早く特定し、適切な対応を取ることが出来るという効果を有し、多数の映像信号処理デバイスを用いたテレビジョン受像機において有用である。
【図面の簡単な説明】
【０００８】
【図１】本発明の実施の形態１におけるテレビジョン受像機の構成を示すブロック図
【符号の説明】
【０００９】
１    映像信号出力回路１
２    映像信号出力回路２
３    映像信号切換ＳＷ
４    エラー検出回路１
５    映像信号処理回路１
６    エラー検出回路２
７    映像信号処理回路２
８    エラー結果表示回路
９    表示デバイス
【図１】
2006254031.tif 000003
(57)【要約】      （修正有）【課題】筋肉痛や肩こりを緩和するローラーパットの提供。【解決手段】ローラーパットに突起を設ける。ローラーパットは仰向けに寝ながら足のかかとの下に置いてかかとの方から太股の方まで少しずつ転がしながらゆっくり足をふりながらまんべんなく足や太股を刺激する事で足の疲れや筋肉痛を緩和する事ができます。また同じく仰向けに寝ながらローラーパットを枕のように首の下に置いて首周辺の筋肉を刺激したり同じく仰向けに寝ながら体を横に起こすようにしてローラーパットを縦に肩の下に置いて肩の方から腕の方までゆっくり転がしながらまんべんなく肩を刺激する事で肩こりや肩の痛みを緩和する事ができます。【選択図】図１
2006254940.tif 000002
【特許請求の範囲】
【請求項１】
突起を設けたローラーパット
【請求項２】
突起を多数設けた請求項１記載のローラーパット
【発明の詳細な説明】
【技術分野】
【０００１】
足の筋肉痛や足の疲れ肩こりを緩和するローラーパット
【背景技術】
【０００２】
私は前に腰パットで特許願をだしてありますが腰パットを参考にして考案したローラーパットです。
【特許文献１】特願２００５−０４６９８３
【発明の開示】
【発明が解決しようとする課題】
【０００３】
多数の突起のついたローラーパットで足の筋肉や肩の筋肉に刺激をする事で
筋肉痛や肩こりを緩和します。
【課題を解決するための手段】
【０００４】
以上の課題を解決するために突起を多数設けたローラーパット
【発明を実施するための最良の形態】
【０００５】
ローラーになっているために使用しやすくなる。
【０００６】
ローラーパットをかかとの下床面に置きます。かかとの下から太股の方まで
ゆっくり転がしながら足全体をまんべんなく刺激する事で足の疲れや筋肉痛を
緩和します。
【実施例１】
【０００７】
仰向けに寝ながらローラーパットを枕の用に首の下に置いて首の周辺の筋肉を
刺激したあと体を横に起こしてローラーパットを縦に肩の下に置いて腕の方にゆ
っくり転がしながら刺激する事で肩こりを緩和します。
【産業上の利用可能性】
【０００８】
足の筋肉痛や疲れを緩和したり肩こりを緩和しますので利用する人が多いと思います。
【図面の簡単な説明】
【０００９】
【図１】この発明の写真図である。（実施例１）
【図２】前に特許願を出した腰パット（実施例２）
【符号の説明】
【００１０】
１    上からの図
２    横からの図
３    腰パット
【図１】
2006254940.tif 000003
【図２】
2006254940.tif 000004
(57)【要約】【課題】バッグの収納を吊り下げ式にして、両脇の側面から出し入れでき、物置や、洋服タンスの片隅に掛け、場所を取らず、バッグをカバーシートで保護し、葡萄の房のように、一枚の縦シートを介して両面から交互に関わり合いながら、装着し、複数のバッグを立体的に収納出来る事を課題とした。【解決手段】  バッグの収納を吊り下げ式にして、物置や、洋服タンスの片隅に掛け、場所を取らず、側面から出し入れが出来るようにした。バッグをカバーシートで保護し、葡萄の房のように、一枚の縦シートを介してカバーシートを両面から交互に、関わり合いながら装着し、複数の収納を可能にした。一枚の縦形シートの上端に支持軸を設け、支持軸の一部に係止部材を装着し、場所を取らない吊り下げ式のバッグの収納容器である。【選択図】          図１
2006254939.tif 000002
【特許請求の範囲】
【請求項１】
左右からの開口部より挿通するバッグのカバーシートが、一枚の縦形シートを介して、両面から交互に関わり合いながら、複数装着したバッグの収納容器で、上端に支持軸を設け、支持軸の一部に係止部材を装着した吊り下げ式バッグの収納容器。
【請求項２】
請求項１記載の一枚の縦形シートは、上下端部の幅を下端部は上端部より広く取り、バッグ収納用器のカバーシートの幅も、装着部分の幅に合わせて複数装着した吊り下げ式バッグの収納容器。
【請求項３】
請求項１記載及び請求項２記載のバッグの収納用器のカバーシートは、それぞれの上端部の表面に、バッグの提げ手を外に出すための開口部を設けて、複数装着した吊り下げ式バッグの収納容器。
【発明の詳細な説明】
【技術分野】
【０００１】
本発明は、バッグの収納を吊り下げ式にして、場所を取らず、バッグをカバーで保護し、葡萄の房のように、一枚の縦シートを介して両面から交互に関わり合いながら、複数の収納カバーを装着し、立体的なバッグの収納容器に関するものである。
【背景技術】
【０００２】
従来  バッグの収納に、袋物や、箱形物、個々にカバー付き収納容器もあるが、提手の部分を曲げて収納したり、場所も多く取り、又仕舞ったバッグが解らず、不便であった
【発明の開示】
【発明が解決しようとする課題】
【０００３】
バッグの収納を吊り下げ式にして、物置や、洋服タンスの片隅に掛け、場所を取らず、側面から出し入れでき、バッグをカバーで保護し、葡萄の房のように、一枚の縦シートを介して両面から交互に複数立体的に収納出来る事を課題とした。
【課題を解決するための手段】
【０００４】
本発明は、この様な従来の構成が有していた問題を解決しようとするものであり、バッグの収納を吊り下げ式にして、物置や、洋服タンスの片隅に掛け、場所を取らず、側面から出し入れが出来るようにした。
【０００５】
バッグをカバーシートで保護し、葡萄の房のように、一枚の縦シートを介してカバーシートを両面から交互に、関わり合いながら装着し、複数収納が出来るように、立体的なバッグの収納容器にした。
【０００６】
一枚の縦形シートの上端に支持軸を設け、支持軸の一部に係止部材を装着し、場所を取らない吊り下げ式のバッグの収納容器にした。
【０００７】
一枚の縦形シート幅を、上下同じくしても良いが、上下端部の幅を下端部は上端部より広く取り、バッグ収納のカバーシートの幅も、装着部分の幅に合わせて、大小複数のバッグを、大きさ別に合わせて、それぞれ合うカバーシートの中に、収納できるようにした。
【０００８】
バッグ収納用器のカバーシートは、それぞれの上端部の表面に、バッグの提げ手を折り曲げずに、外に出せるように開口部を設けて、バッグの提げ手を傷つけず、上に被さるカバーシートの下になるようにして出し、場所を取らないようにした。
【０００９】
バッグのカバー収納容器の素材は、布、ビニール、不織布、丈夫な和紙、織物等を用いると良い。
【００１０】
支持軸の素材は、木片、強化プラスチック等、堅固な物が望ましい。
【発明の効果】
【００１１】
バッグの収納を吊り下げ式にして、洋服タンスや物置の片隅に掛け、側面から出し入れできるようにして、場所を取ら無いようにした。
【００１２】
側面の左右からの開口部より挿通口を持つバッグのカバーシートが、バッグを保護し、一枚の縦形シートを介して、葡萄の房のように、両面から交互に関わり合いながら、複数装着しているため、場所を取らず挿入口からバッグの種類も解り、出し入れも簡単な、立体的なバッグの収納容器にしている。
【００１３】
縦形シートの上端に支持軸を設け、支持軸の一部に、係止部材を装着し、吊り下げ式にしたバッグ収納容器で場所を取らない。
【００１４】
側面の開口部が広く取り、バッグを自由に出し入れ出来、バッグのカバーシート上端部の表面に、バッグの提げ手を、外に出すための開口部を設けているので、提げ手を伸ばしたまま収納でき、上のカバーシートの下側になるので、重なり合って、場所を取らず、バッグの提げ手を折り曲げず、傷つけないようにした立体的なバッグの収納容器である。
【００１５】
バッグのカバーシートの収納容器は、素材を通気性がありバッグが蒸れず、形崩れがしない物が効果的で、布、ビニール、不織布、丈夫な和紙、織物等を用いて、室内に掛けてもインテリアの効果も出るようにした。
【００１６】
支持軸の素材は、木片、強化プラスチック等、強度のある物で、複数のバッグを支える事が出来るような素材が効果的である。
【発明を実施するための最良の形態】
【００１７】
本発明の実施の形態を実施例にもとづき図面を参照して説明する。図１には、本発明の斜視図を示し、図２は側面図を示している。本実施例では、左右の開口部１より挿通するバッグ６の複数のカバーシートＡ・Ｂ・Ｃ・Ｄ・Ｅが，縦形シート２を介して、両面から交互にかかわり合いながら、複数装着したバッグの収納容器で、上端に支持軸３を設け、支持軸の一部に係止部材４を装着した吊り下げ式のバッグの収納容器である。
【００１８】
一枚の縦形シート２は、上下端部の幅を下端部は上端部より広く取り、バッグ収納用器のカバーシートＡ・Ｂ・Ｃ・Ｄ・Ｅの幅も、装着部分の幅に合わせて複数装着し、大小のバッグ６の収納に対応できるようにした、吊り下げ式のバッグの収納容器である。
【００１９】
バッグ収納用器のカバーシートＡ・Ｂ・Ｃ・Ｄ・Ｅの上端部の表面に、バッグ６の提げ手を外に出すためのシートの開口部５を設けて、提げ手を外に出し、折り曲げず、複数のバッグ６の収納を可能にした吊り下げ式のバッグの収納容器である。
【００２０】
バッグ６のカバー収納容器の素材は、通気性がありバッグが蒸れず、形崩れがしない物が効果的である。布、ビニール、不織布、丈夫な和紙、織物等丈夫で、デザインの良い素材を用いる事が望ましい。
【００２１】
支持軸の素材は、木片、強化プラスチック等、堅固な物が望ましく、係止部材は、金属、硬化プラスチック、紐等、複数のバッグ６を支えられる物が望ましい。
【図面の簡単な説明】
【００２２】
【図１】斜視図
【図２】側面図
【符号の説明】
【００２３】
１    挿通する開口部
２    縦形シート
３    支持軸
４    係止部材
５    シートの開口部
６    バッグ
Ａ    カバーシート
Ｂ    カバーシート
Ｃ    カバーシート
Ｄ    カバーシート
Ｅ    カバーシート
【図１】
2006254939.tif 000003
【図２】
2006254939.tif 000004